(57)【要約】【課題】記録情報の著作権保護を位相板などの新たな光学部品を追加することなく実現するとともに、記録層での信号光と参照光との干渉効率を高めて記録多重数の増加を図ることのできるホログラム記録再生装置を提供する。【解決手段】記録時に、入力された機密情報を信号光、認証情報を参照光として、それぞれ空間光変調器３の二次元空間に領域を分けずに混在しかつ共通の周波数で空間的に変調し、それぞれの空間変調パターンを空間光変調器３に供給する。再生時には、認証情報を参照光として空間的に変調して、この参照光の空間変調パターンを空間光変調器３に供給して信号光および参照光が混在する空間変調パターンを再生し、再生された信号光および参照光が混在する空間変調パターンの情報から、再生に用いた参照光の空間変調パターンの情報を論理減算して信号光の空間変調パターンの情報を復元する。【選択図】図１
2006309808.tif 000002
【特許請求の範囲】
【請求項１】
空間的に変調された信号光および参照光を表示する空間光変調器と、
記録すべき機密情報を入力する機密情報入力手段と、
前記機密情報を利用するために必要な認証情報を取得する認証情報取得手段と、
前記機密情報入力手段により入力された前記機密情報を前記信号光、前記認証情報取得手段により取得された前記認証情報を前記参照光として、それぞれ前記空間光変調器の二次元空間に領域を分けずに混在しかつ共通の周波数で空間的に変調し、記録時にそれぞれの空間変調パターンを前記空間光変調器に供給し、再生時に前記参照光の空間変調パターンを前記空間光変調器に供給する空間変調パターン供給手段と、
ホログラム記録媒体から再生された、前記信号光および前記参照光が混在する空間変調パターンの情報から、再生に用いた前記参照光の空間変調パターンの情報を論理減算して前記信号光の空間変調パターンの情報を復元する復元手段と
を具備することを特徴とするホログラム記録再生装置。
【請求項２】
前記認証情報取得手段が、ネットワークを通じて前記認証情報を取得することを特徴とする請求項１に記載のホログラム記録再生装置。
【請求項３】
前記認証情報取得手段が、ホログラムの記録再生が行われるホログラム記録媒体とは別の記憶媒体より前記認証情報を取得することを特徴とする請求項１に記載のホログラム記録再生装置。
【請求項４】
前記記憶媒体が、前記ホログラム記録媒体に埋め込まれた半導体チップであることを特徴とする請求項３に記載のホログラム記録再生装置。
【請求項５】
前記ホログラム記録媒体がチャッキング用の穴部を有するディスクであり、前記穴部に前記半導体チップのリード用の端子が露出して設けられていることを特徴とする請求項４に記載のホログラム記録再生装置。
【請求項６】
前記記憶媒体が、前記ホログラム記録媒体を回転自在に収容するカートリッジに埋め込まれた半導体チップであることを特徴とする請求項３に記載のホログラム記録再生装置。  
【請求項７】
機密情報入力手段によって、記録すべき機密情報を入力するステップと、
認証情報取得手段によって、前記機密情報を利用するために必要な認証情報を取得するステップと、
記録時に、前記情報入力手段により入力された前記機密情報を前記信号光、前記認証情報取得手段により取得された前記認証情報を前記参照光として、それぞれ前記空間光変調器の二次元空間に領域を分けずに混在しかつ共通の周波数で空間的に変調し、それぞれの空間変調パターンを前記空間光変調器に供給するステップと、
再生時に、前記認証情報取得手段により取得された前記認証情報を前記参照光として空間的に変調して、この参照光の空間変調パターンを前記空間光変調器に供給して前記信号光および前記参照光が混在する空間変調パターンを再生するステップと、
前記再生された前記信号光および前記参照光が混在する空間変調パターンの情報から、再生に用いた前記参照光の空間変調パターンの情報を論理減算して前記信号光の空間変調パターンの情報を復元するステップと
を具備することを特徴とするホログラム記録再生方法。
【発明の詳細な説明】
【技術分野】
【０００１】
本発明は、ホログラムを用いて記録を行うホログラム記録再生装置に係り、特に参照光と信号光を同軸な一本の光束として扱うコリニア方式のホログラム記録再生装置およびホログラム記録再生方法に関する。
【背景技術】
【０００２】
ホログラフィを使ってデータを記録するホログラム記録再生装置の開発が進められている。ホログラム記録再生装置では、変調された（データが重畳された）信号光、変調されない参照光の２つを１つのレーザ光から分割し、これらをホログラム記録媒体の同一場所に照射する。その結果、ホログラム記録媒体上で信号光と参照光が干渉して照射点に回折格子（ホログラム）が形成され、ホログラム記録媒体にデータが記録される。
【０００３】
記録済みのホログラム記録媒体に参照光を照射することで、記録時に形成された回折格子から回折光（再生光）が発生する。この再生光は記録時の信号光に重畳されたデータを含んでいるので、これを受光素子で受光して記録した信号を再生できる。
【０００４】
ホログラム記録媒体に多くの情報を記録するために、ホログラム記録媒体に多数のホログラムを形成する場合がある。この場合、ホログラム記録媒体上の異なる箇所にホログラムを形成するとは限らず、ホログラム記録媒体の同一箇所（または、互いに重なり合う領域）にホログラムを形成することも可能である。これが、いわゆる多重記録であり、角度多重方式、波長多重方式、回転多重方式、シフト多重方式など、種々の方式が提案されている。
【０００５】
これらの方式は、いずれも２本の光束を干渉させる方式であり、参照光と信号光を２つの異なる光軸で構成するので光学系が複雑化する。光学系の構成を簡素化できる方式として、参照光と信号光を同軸な一本の光束として扱うコリニア方式がある。
【０００６】
典型的なコリニア方式では、空間光変調器上の中央に二次元バーコード状の信号光のパターンが配置し、その周りを囲むような形で参照光用のパターンが配置される。記録時は信号光と参照光の両方を空間光変調器に表示させた状態で光を照射して、ホログラム記録媒体に干渉縞を記録する。再生時には参照光用のパターンのみを空間光変調器に表示させて光を照射する。ホログラム記録媒体の反射層から戻ってきた光には、記録した信号光のパターンが再現されているので、これをもとにデータが復元される。
【特許文献１】特開２００４−１７７９５８号公報（段落１７８）
【特許文献２】特開２００３−１７８４６１号公報（段落２２９−２３１）
【発明の開示】
【発明が解決しようとする課題】
【０００７】
ホログラム記録媒体に記録された情報の保護のために、位相板などで位相に変調を加える手法（例えば特許文献１を参照）や、参照光と信号光を同軸なコリニア方式において、個人情報に基づいて生成された位相変調パターン情報から記録用参照光を生成し、情報光と記録用参照光とをこれらの光軸を同一線上に配置して記録層に照射する手法（例えば特許文献２を参照）などがある。
【０００８】
しかしながら、前者の位相板などで位相に変調を加える手法は、位相板の位置合わせに非常に高い精度が求められるとともに、位相板の保持構造も大掛かりになり、小型化が困難になるなどの問題がある。
【０００９】
また、後者のコリニア方式では、中央に信号光のパターンを配置し、その周りを囲むような形で参照光用のパターンを配置した空間変調パターンが用いられるが、このような空間変調パターンを用いた場合、干渉し合うピクセル間の空間光変調器上での距離の大きさに起因して、信号光と参照光との干渉がホログラム記録媒体における記録層の下部つまり焦点側の領域（フーリエ領域）のみで起こり、記録層の上部つまり対物レンズ側の領域（フレネル領域）はホログラム記録に寄与されない現象が起こる。したがって、信号光と参照光との干渉効率が低く、このことがホログラム記録の多重数増加の妨げとなる。
【００１０】
以上のような事情に鑑み、本発明の目的は、記録情報の著作権保護を位相板などの新たな光学部品を追加することなく実現すると同時に、記録層での信号光と参照光との干渉効率を高めて記録多重数の増加を図ることのできるホログラム記録再生装置およびホログラム記録再生方法を提供することにある。
【課題を解決するための手段】
【００１１】
上記の課題を解決するために、この発明のホログラム記録再生装置は、空間的に変調された信号光および参照光を表示する空間光変調器と、記録すべき機密情報を入力する機密情報入力手段と、機密情報を利用するために必要な認証情報を取得する認証情報取得手段と、機密情報入力手段により入力された機密情報を信号光、認証情報取得手段により取得された認証情報を参照光として、それぞれ空間光変調器の二次元空間に領域を分けずに混在しかつ共通の周波数で空間的に変調し、記録時にそれぞれの空間変調パターンを空間光変調器に供給し、再生時に参照光の空間変調パターンを空間光変調器に供給する空間変調パターン供給手段と、ホログラム記録媒体から再生された、信号光および参照光が混在する空間変調パターンの情報から、再生に用いた参照光の空間変調パターンの情報を論理減算して前記信号光の空間変調パターンの情報を復元する復元手段とを具備することを特徴とする。
【００１２】
この発明によれば、機密情報を信号光、認証情報を参照光として、それぞれ空間光変調器の二次元空間に領域を分けずに混在しかつ共通の周波数で空間的に変調して、記録を行うことによって、空間光変調器の二次元空間全体にわたり、干渉ピクセル間距離の値が小さくなり、ホログラム記録媒体の記録層においてホログラム記録に寄与する厚みが増大し、ホログラム記録の多重数の増加を図れる。
【００１３】
また、機密情報である信号光の空間変調パターンと、認証情報である参照光の空間変調パターンとを空間光変調器の二次元空間に領域を分けずに混在させて記録を行うことによって、認証情報を暗号解読のためのキーとする、機密情報の暗号化を実現することができる。
【００１４】
また、本発明のホログラム記録再生装置において、認証情報取得手段は、ネットワークを通じて認証情報を取得するようにしてもよい。これにより、認証情報を提供するサーバ側で、コンテンツの利用に対する課金処理を行うことができる。
【００１５】
さらに、認証情報取得手段は、ホログラムの記録再生が行われるホログラム記録媒体とは別の記憶媒体より認証情報を取得するものとしてもよい。これにより、認証情報を記憶した記憶媒体を利用する購入する形態で、コンテンツの利用に対する課金を行うことができる。
【００１６】
記憶媒体は、ホログラム記録媒体に埋め込まれた半導体チップとすることができる。これにより、ホログラム記録媒体の購入と同時に認証情報をユーザに提供することができる。
【００１７】
ホログラム記録媒体がチャッキング用の穴部を有するディスクであり、穴部に半導体チップのリード用の端子が露出して設けられているものとしてもよい。
【００１８】
さらに、記憶媒体は、ホログラム記録媒体を回転自在に収容するカートリッジに埋め込まれた半導体チップであってもよい。
【００１９】
本発明の別の観点に基づくホログラム記録再生方法は、機密情報入力手段によって、記録すべき機密情報を入力するステップと、認証情報取得手段によって、機密情報を利用するために必要な認証情報を取得するステップと、記録時に、情報入力手段により入力された機密情報を信号光、認証情報取得手段により取得された認証情報を参照光として、それぞれ空間光変調器の二次元空間に領域を分けずに混在しかつ共通の周波数で空間的に変調し、それぞれの空間変調パターンを空間光変調器に供給するステップと、再生時に、認証情報取得手段により取得された認証情報を参照光として空間的に変調して、この参照光の空間変調パターンを空間光変調器に供給して信号光および参照光が混在する空間変調パターンを再生するステップと、再生された信号光および参照光が混在する空間変調パターンの情報から、再生に用いた参照光の空間変調パターンの情報を論理減算して信号光の空間変調パターンの情報を復元するステップとを具備することを特徴とする。
【発明の効果】
【００２０】
以上のように、本発明によれば、記録情報の著作権保護を位相板などの新たな光学部品を追加することなく実現すると同時に、記録層での信号光と参照光との干渉効率を高めて記録多重数の増加を図ることのできるホログラム記録再生装置およびホログラム記録再生方法を提供できる。
【発明を実施するための最良の形態】
【００２１】
以下、本発明の実施の形態を図面に基づき説明する。
【００２２】
図１は、本発明の一実施形態に係るコリニア方式のホログラム記録再生装置の光学ユニットの構成を示す図である。
【００２３】
このコリニア方式のホログラム記録再生装置は、光源系１、偏光ビームスプリッタ２、空間光変調器３（ＳＬＭ：Ｓｐａｔｉａｌ  Ｌｉｇｈｔ  Ｍｏｄｕｌａｔｏｒ）３、フーリエ変換レンズ４、アイリス５、フーリエ逆変換レンズ６、１／４波長板７、対物レンズ８、受光素子９、およびホログラム記録媒体１０を有する。
【００２４】
光源系１は、たとえば波長４０５ｎｍのレーザダイオード（ＬＤ）や波長５３２ｎｍのＮｄ−ＹＡＧレーザなどのシングルモードレーザ、シングルモードレーザ１から照射されたレーザ光を平行光に変換するコリメートレンズ、戻り光を防ぐためのアイソレータ、レーザの開閉を行うメカニカルシャッター、ビーム形状を整形するアナモプリズム、レーザパワーを監視するパワーモニタなどを備えている。
【００２５】
偏光ビームスプリッタ２は、光源系１より入射した光のｐ偏光成分のみを空間光変調器３に入射し、空間光変調器３からの光を反射する光学素子である。
【００２６】
空間光変調器３は、信号を空間的に（ここでは２次元的に）変調して、信号光および参照光のパターンを表示する空間光変調器３である。空間光変調器３としては、反射型液晶、ＤＭＤ（Ｄｉｇｉｔａｌ  Ｍｉｃｒｏ  Ｍｉｒｒｏｒ）、透過型の素子である透過型液晶素子を用いることも可能である。
【００２７】
フーリエ変換レンズ４は、偏光ビームスプリッタ２より入射した空間光変調器３からの光をフーリエ変換する光学素子である。
【００２８】
アイリス５は、フーリエ変換像から高周波数成分をカットするための光学素子である。
【００２９】
フーリエ逆変換レンズ６は、フーリエ変換像を逆変換する光学素子である。
【００３０】
１／４波長板７は、フーリエ逆変換レンズ６より入射した光を円偏光にするための光学素子である。
【００３１】
対物レンズ８は、信号光および参照光をホログラム記録媒体１０に集光するための光学素子である。
【００３２】
受光素子９は、再生光の画像を入力する素子であり、ＣＭＯＳセンサ、ＣＣＤなどが用いられる。
【００３３】
ホログラム記録媒体１０は、保護層１１、記録層１２、ギャップ層１３および反射層１４で構成される。保護層１１は、記録層１２を外界から保護するための層である。記録層１２は、信号光と参照光との干渉により生じる干渉縞を屈折率の変化として記録する層であり、例えば、光重合型フォトポリマーなどが用いられる。ギャップ層１３は記録層１２と反射層１４との間に所定のギャップを確保するための光透過材料からなる層である。反射層１４は光を反射させるための層である。
【００３４】
ホログラム記録媒体１０は、図示しないスピンドルモ−タで回転される。ホログラム記録媒体１０が移動することから、ホログラム記録媒体１０上への記録・再生は移動方向に形成されたトラックに沿って行われる。
【００３５】
制御コンピュータ１５は、ホログラム記録再生装置の全体的な制御を行うコンピュータであり、各種の演算処理を実行するための演算ユニット１６と、ホログラム記録媒体１０に記録すべき機密情報を外部より入力する機密情報入力部１７と、外部より認証情報を入力する認証情報入力部１８と、ホログラム記録媒体１０から再生した機密情報を外部に出力する機密情報出力部１９とを備えている。ここで、機密情報入力部１７および認証情報入力部１８はユーザよりキーボードなどを介して入力される情報を受け付けるものであったり、ネットワークや記録媒体などの伝送媒体より情報を取得するものであってよい。機密情報出力部１９は、ユーザに表示画面を通して情報を出力したり、ネットワークや記録媒体などの伝送媒体に情報を転送するものであってもよい。
【００３６】
ＳＬＭ制御部２０は、空間光変調器３の表示を制御するコントローラであり、制御コンピュータ１５の演算ユニット１６にて生成された信号光および参照光の空間変調パターンの情報を受信して、それらの空間変調パターンを空間光変調器３上に表示させる。
【００３７】
再生信号処理部２１は、受光素子９より出力された再生像の信号を時系列２値化デ−タに変換して制御コンピュータ１５に出力する。
【００３８】
次に、このホログラム記録再生装置の基本的な動作を説明する。
【００３９】
光源系１から出射した光は、偏光ビームスプリッタ２を反射して空間光変調器３に入射される。ここで、空間光変調器３には、信号光と参照光とが近接する空間変調パターンが投影される。このパターンについては後で説明する。
【００４０】
空間光変調器３によって変調された光は、偏光が９０°回転するために偏光ビームスプリッタ２を透過し、フーリエ変換レンズ４、アイリス５、フーリエ逆変換レンズ６にて不要な高周波数成分が除かれた後、１／４波長板７にて円偏光の光とされて、対物レンズ８によってホログラム記録媒体１０に照射される。その結果、ホログラム記録媒体１０の記録層１２に信号光と参照光との干渉による干渉縞がホログラムとして記録される。
【００４１】
再生時には、空間光変調器３上に参照光に相当するパタ−ンのみを表示させ、その参照光成分のみをホログラム記録媒体１０に入射する。これにより、ホログラム記録媒体１０に記録されたホログラムから回折光（再生光）が発生する。この再生光は、対物レンズ８、１／４波長板７、フーリエ逆変換レンズ６、アイリス５、フーリエ変換レンズ４、偏光ビームスプリッタ２を通して受光素子９に入射し、ここで空間的な２次元デ−タに対応する電気信号に変換される。受光素子９からの出力は、再生信号処理部２１によって２値化され、時系列２値化デ−タに変換される。
【００４２】
図２は空間光変調器３からホログラム記録媒体１０への光の伝播を示す図である。
【００４３】
ここで、空間光変調器３上で光軸から距離ｂだけずれた位置のピクセルの光と、その位置からさらにａの距離だけ外側にあるピクセルの光とが干渉する範囲は、反射面から下記の式（１）で求められる距離ｚまでの範囲となる。
【００４４】
ｚ＝２λｆ／ｄａ    ・・・（１）
【００４５】
ここで、λは光の波長、ｆは対物レンズ８の焦点距離、ｄはピクセルサイズ、ａは干渉ピクセル間距離である。
【００４６】
たとえば、光の波長λを０．４μｍ、ピクセルサイズｄを１５．６μｍ、対物レンズ８の焦点距離ｆを４ｍｍとすると、信号光を参照光で取り囲んだ典型的な空間変調パターンでは、参照光の一番内側の光軸側の距離ａを１．７５ｍｍとした場合、光軸中心のピクセルの信号光が参照光と干渉する距離ｚは５４７μｍとなる。すなわち、ホログラム記録媒体１０において反射面から記録層１２までの距離（ギャップ層１３の厚み）を１００μｍ、記録層１２の厚みを６００μｍとすると、記録層１２の厚みにおける対物レンズ８側の１５３μｍ（２５％）はホログラム記録に寄与しないことになる。
【００４７】
そこで、この実施形態では、信号光と参照光とを近接してかつ混在して配置した空間変調パターンを採用している。この空間変調パターンでは、信号光と参照光とが空間光変調器３の共通の二次元空間にて領域を分けることなく混在しており、かつそれぞれの空間周波数も共通とされている。
【００４８】
次に、このように信号光と参照光とが近接しかつ混在して配置された空間変調パターンを用いた機密情報の記録および再生について説明する。
【００４９】
図３は機密情報の記録時の動作を示すフローチャートである。
【００５０】
機密情報入力部１７を通じて外部たとえばユーザより制御コンピュータ１５に機密情報が入力される（ステップＳ３０１）。制御コンピュータ１５は、入力した機密情報を記憶部に保存する（ステップＳ３０２）。この後、制御コンピュータ１５は、認証情報入力部１８を通じて認証情報を入力する（ステップＳ３０３）。この認証情報は、たとえばユーザより直接キーボードなどから入力されてもよいし、ネットワークや記録媒体などの伝送媒体を通じて外部から取得するようにしてもよい。この後、制御コンピュータ１５は、演算ユニット１６によって、認証情報から、決められた規則に従って、機密情報を暗号化するための参照光の空間変調パターンを作成し（ステップＳ３０４）、この参照光の空間変調パターンの情報を保存する（ステップＳ３０５）。
【００５１】
続いて、制御コンピュータ１５は、記憶部から、記録する機密情報のブロックを読み出し、これを空間変調して信号光の空間変調パターンを作成し（ステップＳ３０６）、ＳＬＭ制御部２０を通じて空間光変調器３に転送する（ステップＳ３０７）。この信号光の空間変調パターンの例を図４に示す。さらに、制御コンピュータ１５は、保存しておいた参照光の空間変調パターンをＳＬＭ制御部２０を通じて空間光変調器３に転送する（ステップＳ３０８）。この参照光の空間変調パターンの例を図５に示す。
【００５２】
ここで、図４および図５に示したように、信号光の空間変調パターンおよび参照光の空間変調パターンは空間光変調器３の二次元空間に領域を分けずに混在（近接）して配置される。言い換えれば、信号光および参照光のそれぞれの空間変調は空間光変調器３の全体の二次元空間を用いて行われる。また、信号光と参照光はともに、双方の空間変調パターンの形成のためのピクセルサイズ（周波数）が共通化されている。この例では、縦横１×１ピクセルから縦横３×３ピクセルまでのピクセルサイズが採用されている。
【００５３】
上記のように信号光の空間変調パターンと参照光の変調空間パターンが空間光変調器３に転送されることで、空間光変調器３上でそれらの空間変調パターンはピクセルの単位で論理和演算で重ね合わされ、結果的に図６に示すような記録用の空間変調パターンが生成される。ここで、空間変調パターンは反射状態の論理値を「真」とし、遮断状態の論理値を「偽」とする。
【００５４】
このように信号光と参照光とが混在して配置された空間変調パターンを用いてホログラム記録媒体１０にホログラムが記録される（ステップＳ３０９）。この記録用の空間変調パターンでは、信号光と参照光とが近接しているので、上記（１）式における干渉ピクセル間距離ａの値が小さくなり、記録層１２においてホログラム記録に寄与する厚みを、中央に信号光のパターンを配置し、その周りを囲むような形で参照光用のパターンを配置した典型的なパターンを用いた場合に比べ増大させることができる。
【００５５】
次に、再生時の動作を説明する。
【００５６】
図７は機密情報の再生時の動作を示すフローチャートである。
【００５７】
再生時には、まず、制御コンピュータ１５は、認証情報入力部１８を通じて認証情報を入力する（ステップＳ７０１）。この認証情報は、たとえばユーザより直接キーボードなどから入力されてもよいし、ネットワークや記録媒体などの伝送媒体を通じて外部から取得するようにしてもよい。この後、制御コンピュータ１５は、演算ユニット１６によって、認証情報から、決められた規則に従って、機密情報を暗号化するための参照光の空間変調パターンを作成するとともに（ステップＳ７０２）、この参照光の空間変調パターンの情報を暗号解除キーとして保存する（ステップＳ７０３）。
【００５８】
この後、制御コンピュータ１５は、参照光の空間変調パターンをＳＬＭ制御部２０を通じて空間光変調器３に転送して（ステップＳ７０４）、ホログラム記録媒体１０に参照光を照射する（ステップＳ７０５）。このとき、記録時に用いた空間変調パターンと同じパターンの参照光がホログラム記録媒体１０に照射されることで、図６に示した信号光と参照光の各空間変調パターンが重ね合わされた再生像の情報が受光素子９の出力として得られ、再生信号処理部２１によってデジタルデ−タに変換されて制御コンピュータ１５に転送される（ステップＳ７０６）。
続いて制御コンピュータ１５は、演算ユニット１６にて、再生像のデジタルデ−タから、ステップＳ７０３で保存しておいた暗号解除キーの情報を論理減算する。この結果、図４に示した元の信号光の空間変調パターンに対応する情報すなわち機密情報が復元される（ステップＳ７０８）。復元された機密情報は、この後、冗長ビットを用いた誤り訂正などのデータ処理を経て、再生機密情報として出力される（ステップＳ７０９）。
【００５９】
図４および図５に示した信号光および参照光の各空間変調パターンの例では、反射状態（論理値が「真」）のピクセルの位置が信号光と参照光との間ですべて異なっているが、参照光の空間変調パターンは認証情報に依存して作成される、すなわち信号光の空間変調パターンとは無関係に生成されるので、必ずしもそうならない。信号光と参照光との間で反射状態である同一のピクセルが存在する場合、再生像から暗号解除キーの情報を論理減算すると、そのピクセルの値が「偽」になり、もとの信号光の空間変調パターンに対応する情報が完全には復元されない。このため、後段の誤り訂正が重要な要素となる。この場合、冗長ビットを増やして符号化率を小さくすることで誤り訂正能力を高くする対策などが一般的に採られるが、空間光変調器３上に参照光専用の領域を確保して、ここに一部の参照光またはすべての参照光を配置するようにすれば、誤り訂正の負担を軽くすることが可能である。
【００６０】
図８に示すように、認証情報はインターネットなどのネットワーク２３を通じて、コンテンツ供給者２４からユーザ２５に配布するようにしてもよい。この場合、コンテンツ供給者２４がユーザ２５にホログラム記録再生装置とホログラム記録媒体を貸し出し、コンテンツの利用状況を監視して課金を行うようにしてもよい。
【００６１】
ホログラム記録媒体に記録されたコンテンツのユーザによる利用を、そのホログラム記録媒体に記録された全体のコンテンツを分割する単位であるページ単位で管理する場合には、次のようにすることができる。
【００６２】
図９は、コンテンツの利用をページ単位で管理する場合にホログラム記録再生装置２６およびコンテンツ供給者のサービスサーバ２７に組み込まれるソフトウェアの構成を示す図であり、ページごとの再生のために異なる参照光を必要とする場合の構成である。
【００６３】
コンテンツ供給者のサービスサーバ２７は、ホログラム記録再生装置２６にＩＤを配布するＩＤ応答部３１と、コンテンツにおける個々のページごとの再生に必要な参照光に対応する認証情報が登録された認証情報テーブル３２と、ユーザのコンテンツの利用状況を管理して課金のための処理を行う利用状況管理部３３とを備えている。
【００６４】
一方、ホログラム記録再生装置２６に組み込まれるプログラムは、ＩＤ取得部２８、認証情報検索部２９、利用ページ数通知部３０で構成される。
【００６５】
ＩＤ取得部２８は、コンテンツ供給者のサービスサーバ２７のＩＤ応答部３１にＩＤ取得要求を出して、認証情報を取得するために必要なＩＤをコンテンツ供給者のサービスサーバ２７より取得する。このＩＤの取得のためにユーザは本人の認証情報をサービスサーバ２７に送信して本人認証を行う必要がある。ＩＤ取得後、認証情報検索部２９は、このＩＤを用いてサービスサーバ２７の認証情報テーブル３２にアクセスし、そこから利用したいページに対応する認証情報を検索して取得する。利用ページ数通知部３０は、取得した認証情報の数すなわち利用するページ数の情報をネットワークを通じてサービスサーバ２７に通知する。サービスサーバ２７は受信した利用ページ数情報をＩＤと対応付けて利用状況管理部３３に保存し、定期的にコンテンツの利用に対する課金処理を行う。
【００６６】
このように、ホログラム記録再生装置とホログラム記録媒体をユーザにたとえば無料で貸し出して、ユーザが利用したページ数に対してのみ課金処理を行うことによって、ユーザの初期導入コストを抑えることができ、また、コンテンツの利用に対してのみ課金を行うことができる。
【００６７】
また、上記では、ユーザのホログラム記録再生装置にてホログラム記録媒体を再生するように構成したが、図１０に示すように、コンテンツ供給者のサービスサーバなどのネットワーク３４上のサーバ３５で動作するホログラム記録再生装置にてホログラム記録媒体を再生するように構成してもよい。この場合、ユーザ３６は、コンテンツを利用するために必要な認証情報を郵送などネットワーク以外の伝送媒体を通じて入手し、入手した認証情報を自分のＩＰアドレスなどのアドレス情報とともに、ユーザのＰＣなどの機器からネットワーク３４を通じてサーバ３５に送信する。サーバ３５は受信した認証情報から参照光の空間変調パターンを作成してホログラム記録媒体からコンテンツを再生し、アドレス情報に基づいて要求元のユーザ３６に再生情報をネットワーク３４を通じて配信する。
【００６８】
ディスク状のホログラム記録媒体を想定した場合、ホログラム記録媒体の複製を防止するために、ホログラム記録媒体に認証情報を記録したＩＣチップを埋め込んでおき、このＩＣチップから認証情報を取得して参照光の空間変調パターンを作成するようにようにしてもよい。
【００６９】
この場合、図１１および図１２に示すように、認証情報を記録したＩＣチップ３７をディスク状のホログラム記録媒体３８におけるチャッキング用の穴３９の内周面にリード用の端子４０が露出するように組み込む方法が考えられる。したがって、ホログラム記録再生装置側には、ＩＣチップ３７のリード用の端子４０と接する端子４１を、チャッキング部４２の周面に配置しておく。端子４１の先には、ＩＣチップ３７の記憶内容を読み込んで上位回路に転送するリード回路が接続されている。
【００７０】
また、図１３に示すように、ディスク状のホログラム記録媒体３８がカートリッジ４４に収容されて利用される場合には、カートリッジ４４の、ホログラム記録媒体３８のチャッキング用の穴３９に対応する位置にＩＣチップ３７を取り付けることが可能である。この場合、ＩＣチップ３７のリード用の端子４０はチャッキング部４２の端面に面して配置できるので、チャッキング部４２の端面にホログラム記録再生装置側の端子４１を配置しておく。
【図面の簡単な説明】
【００７１】
【図１】本発明の一実施形態に係るコリニア方式のホログラム記録再生装置の光学ユニットの構成を示す図である。
【図２】空間光変調器からホログラム記録媒体への光の伝播を示す図である。
【図３】図１のホログラム記録再生装置での機密情報の記録時の動作を示すフローチャートである。
【図４】信号光の空間変調パターンの例を示す図である。
【図５】参照光の空間変調パターンの例を示す図である。
【図６】信号光と参照光を重ね合わせた空間変調パターンの例を示す図である。
【図７】図１のホログラム記録再生装置での機密情報の再生時の動作を示すフローチャートである。
【図８】ネットワークを通じた認証情報の取得方法を示す図である。
【図９】ホログラム記録再生装置およびコンテンツ供給者のサービスサーバに組み込まれるソフトウェアの構成を示す図である。
【図１０】サーバ上で動作するホログラム記録再生装置にてホログラム記録媒体を再生してコンテンツをユーザに提供するシステムを示す図である。
【図１１】認証情報をディスク状のホログラム記録媒体に埋め込められたＩＣチップから取得する方法を示す図である。
【図１２】図１１のＩＣチップをアクセスする構造を示す断面図である。
【図１３】ホログラム記録媒体を収容したカートリッジに埋め込められたＩＣチップをアクセスする構造を示す断面図である。
【符号の説明】
【００７２】
１      光源系
２      偏光ビームスプリッタ
３      空間光変調器３
４      フーリエ変換レンズ
５      アイリス
６      フーリエ逆変換レンズ
７      １／４波長板
８      対物レンズ
９      受光素子
１０      ホログラム記録媒体
１１      保護層
１２      記録層
１３      ギャップ層
１４      反射層
１５      制御コンピュータ
１６      演算ユニット
１７      機密情報入力部
１８      認証情報入力部
１９      機密情報出力部
２０      ＳＬＭ制御部
２１      再生信号処理部
【図１】
2006309808.tif 000003
【図２】
2006309808.tif 000004
【図３】
2006309808.tif 000005
【図４】
2006309808.tif 000006
【図５】
2006309808.tif 000007
【図６】
2006309808.tif 000008
【図７】
2006309808.tif 000009
【図８】
2006309808.tif 000010
【図９】
2006309808.tif 000011
【図１０】
2006309808.tif 000012
【図１１】
2006309808.tif 000013
【図１２】
2006309808.tif 000014
【図１３】
2006309808.tif 000015